(57)【要約】      （修正有）【課題】面取り、洗浄、水切り、混ぜる  殻を剥く、油切りと多彩な効果と安全面に考慮した台所器具を提供する。【解決手段】（イ）カゴ６に食材を入れ、カゴ７を合わせボール５とボール８をその周りに被せ軸４とボール５を合わせて軸９とボール８を合わせる。軸９とハンドル１０又は、モーター１２を合わせて軸４と軸９を台１１に乗せる。ボール５とボール８を覆うようにケース１を被せハンドル１０又は、モーター１２を回転させる事により料理の下ごしらえする台所の器具を特徴とする。（ロ）泡だて器２とヘラ３をボール８に装着し、食材をボール８に入れ軸４が装着されたボール５と軸９が装着されたボール８を合わせる。軸９とハンドル１０又は、モーター１２を合わせて軸４と軸９を台１１に乗せる。ボール５と８を覆うようにケース１を被せる。ハンドル１０又は、モーター１２を回転させる事により料理の下ごしらえする台所の器具を特徴とする。【選択図】図２
2006320679.tif 000002
【特許請求の範囲】
【請求項１】
（イ）カゴ（６）とカゴ（７）を合わせボール（５）とボール（８）をその周りに被せる
（ロ）軸（４）とボール（５）を合わせて軸（９）とボール（８）を合わせる
（ハ）軸（９）とハンドル（１０）を合わせて軸（４）と軸（９）を台（１１）に乗せる
（ニ）上記の（イ）（ロ）を覆うようにケース（１）を被せる
以上の構成よりなる台所の器具
【請求項２】
（ホ）泡だて器（２）とヘラ（３）をボール（８）に取り付ける
（ヘ）ボール（５）とボール（８）を合わせる
（ト）軸（４）とボール（５）を合わせて軸（９）とボール（８）を合わせる
（チ）軸（９）とハンドル（１０）を合わせて軸（４）と軸（９）を台（１１）に乗せる
（リ）上記の（ホ）（ヘ）（ト）を覆うようにケース（１）を被せる
以上の構成よりなる台所の器具
【請求項３】
（ヌ）カゴ（６）とカゴ（７）を合わせボール（５）とボール（８）をその周りに被せる
（ル）軸（４）とボール（５）を合わせて軸（９）とボール（８）を合わせる
（ヲ）軸（９）とモーター（１２）を合わせて軸（４）と軸（９）を台（１１）に乗せる
（ワ）上記の（ヌ）（ル）を覆うようにケース（１）を被せる
以上の構成よりなる台所の器具
【請求項４】
（カ）泡だて器（２）とヘラ（３）をボール（８）に取り付ける
（ヨ）ボール（５）とボール（８）を合わせる
（タ）軸（４）とボール（５）を合わせて軸（９）とボール（８）を合わせる
（レ）軸（９）とモーター（１２）を合わせて軸（４）と軸（９）を台（１１）に乗せる
（ソ）上記の（カ）（ヨ）（タ）を覆うようにケース（１）を被せる
以上の構成よりなる台所の器具
【発明の詳細な説明】
【技術分野】
【０００１】この発明は、ボールを回転させる事により料理の下ごしらえする多目的な台所器具に関するものである。
【背景技術】
【０００２】従来、台所の器具は包丁を用いる、手で洗う、手でかき回す、器具を用いても用途が１つしかないなどの不便さが生じる
【発明の開示】
【発明が解決しようとする課題】
【０００３】これは以下の欠点が存在した。
（イ）煮物の煮崩れ防止に面取りを行う際に包丁で手を切る危険性がある
（ロ）野菜洗浄は、手で洗い不便さが生じる
（ハ）玉子の殻剥きは手で剥き不便さが生じる
（ニ）米をとぐのは、手でとぎ不便さが生じる
（ホ）混ぜ物は、手でかき回し不便さが生じる
（ヘ）冷凍の揚げ物は解凍しないと油跳ねで火災の危険性が発生する
（ト）水分と油分を両立させた乾燥器具がない
（チ）器具を用いても多目的に使用出来ない
本発明は、以上の様な欠点を無くす為になされた物である。
【課題を解決するための手段】
【０００４】（イ）カゴ（６）とカゴ（７）を合わせボール（５）とボール（８）をその周りに被せる
（ロ）軸（４）とボール（５）を合わせて軸（９）とボール（８）を合わせる
（ハ）軸（９）とハンドル（１０）を合わせて軸（４）と軸（９）を台（１１）に乗せる
（ニ）上記の（イ）（ロ）を覆うようにケース（１）を被せる
ボールを回転させる事により料理の下ごしらえする台所の器具に関するものである。
上記課題を多目的に使用出来る様にした一つの台所器具である。【０００５】（ホ）泡だて器（２）とヘラ（３）をボール（８）に取り付ける
（ヘ）ボール（５）とボール（８）を合わせる
（ト）軸（４）とボール（５）を合わせて軸（９）とボール（８）を合わせる
（チ）軸（９）とハンドル（１０）を合わせて軸（４）と軸（９）を台（１１）に乗せる
（リ）上記の（ホ）（ヘ）（ト）を覆うようにケース（１）を被せる
ボールを回転させる事により料理の下ごしらえする台所の器具に関するものである。
上記課題を多目的に使用出来る様にした一つの台所器具である。【０００６】（ヌ）カゴ（６）とカゴ（７）を合わせボール（５）とボール（８）をその周りに被せる
（ル）軸（４）とボール（５）を合わせて軸（９）とボール（８）を合わせる
（ヲ）軸（９）とモーター（１２）を合わせて軸（４）と軸（９）を台（１１）に乗せる
（ワ）上記の（ヌ）（ル）を覆うようにケース（１）を被せる
ボールを回転させる事により料理の下ごしらえする台所の器具に関するものである。
上記課題を多目的に使用出来る様にした一つの台所器具である。【０００７】（カ）泡だて器（２）とヘラ（３）をボール（８）に取り付ける
（ヨ）ボール（５）とボール（８）を合わせる
（タ）軸（４）とボール（５）を合わせて軸（９）とボール（８）を合わせる
（レ）軸（９）とモーター（１２）を合わせて軸（４）と軸（９）を台（１１）に乗せる
（ソ）上記の（カ）（ヨ）（タ）を覆うようにケース（１）を被せる
ボールを回転させる事により料理の下ごしらえする台所の器具に関するものである。
上記課題を多目的に使用出来る様にした一つの台所器具である。
【発明の効果】
【０００８】台所で本発明を使用する事により面取り、洗浄、水切り、混ぜる  殻を剥く、油切りと多彩な効果と安全面、しかも場所を取らない設計である。
【発明を実施するための最良の形態】
【０００９】以下、本発明の請求項１実施をする為の最良の形態について説明する。
円すい状のカゴ（６）とカゴ（７）に使用目的の食材を入れ、軸（４）が装着されたボール（５）と軸（９）が装着されたボール（８）をカゴの周りに被せる。軸（９）とハンドル（１０）を合わせて軸（４）と軸（９）を台（１１）に乗せる。ボール（５）と（８）を覆うようにケース（１）を被せる。
本発明は、以上のような構造でこれを使用するときは、ハンドル（１０）を回転させれば良い【００１０】以下、本発明の請求項２実施をする為の最良の形態について説明する。
泡だて器（２）とヘラ（３）をボール（８）に装着し、使用目的の食材をボール（８）に入れる。軸（４）が装着されたボール（５）と軸（９）が装着されたボール（８）を合わせる。軸（９）とハンドル（１０）を合わせて軸（４）と軸（９）を台（１１）に乗せる。ボール（５）と（８）を覆うようにケース（１）を被せる。
本発明は、以上のような構造でこれを使用するときは、ハンドル（１０）を回転させれば良い。【００１１】以下、本発明の請求項３実施をする為の最良の形態について説明する。
円すい状のカゴ（６）とカゴ（７）に使用目的の食材を入れ、軸（４）が装着されたボール（５）と軸（９）が装着されたボール（８）をカゴの周りに被せる。軸（９）とモーター（１２）を合わせて軸（４）と軸（９）を台（１１）に乗せる。ボール（５）と（８）を覆うようにケース（１）を被せる。
本発明は、以上のような構造でこれを使用するときは、ハンドル（１０）を回転させれば良い【００１２】以下、本発明の請求項４実施をする為の最良の形態について説明する。
泡だて器（２）とヘラ（３）をボール（８）に装着し、使用目的の食材をボール（８）に入れる。軸（４）が装着されたボール（５）と軸（９）が装着されたボール（８）を合わせる。軸（９）とモーター（１２）を合わせて軸（４）と軸（９）を台（１１）に乗せる。ボール（５）と（８）を覆うようにケース（１）を被せる。
本発明は、以上のような構造でこれを使用するときは、モーター（１２）を回転させれば良い。
【図面の簡単な説明】
【００１３】
【図１】本発明の斜視図である。
【図２】本発明の正面図である。
【図３】本発明の正面図である。
【符号の説明】
【００１４】  １  ケース
２  泡だて器
３  ヘラ
４  軸
５  ボール
６  カゴ
７  カゴ
８  ボール
９  軸
１０  ハンドル
１１  台
１２  モーター
【図１】
2006320679.tif 000003
【図２】
2006320679.tif 000004
【図３】
2006320679.tif 000005